(57)【要約】 【課題】装飾効果に優れると共に装飾部分が損傷されにくく、然も安全性に優れる装飾箸を提供する。【解決手段】箸本体２の上部分３の外面を斜めにカットすることにより形成した傾斜装飾面６に図柄を付す。傾斜装飾面６を覆うように透明な凸レンズ状の樹脂カバー部１０を設ける。樹脂カバー部１０の縁部分８の外面１１は、傾斜装飾面６の縁１２に連続する円弧状面１３に形成する。箸本体２を、樹脂カバー部１０を下向きにして設置面２１に載置したとき、樹脂カバー部１０は、その箸下端側２２が設置面２１に接触するが、箸下端側２２よりも上側の部分２３は設置面２１から浮き上がる。【選択図】図５
2008264069.tif 000002
【特許請求の範囲】
【請求項１】
箸本体の上部分の外面が斜めにカットされることにより傾斜装飾面が設けられ該上部分が箸上端に向けて先細化するように形成されており、該傾斜装飾面に図柄が付されると共に、該傾斜装飾面を覆うように透明な樹脂液が、盛り上がった突状に付着され、該樹脂液の硬化によって凸レンズ状の樹脂カバー部が設けられており、又、該樹脂カバー部の縁部分の外面は、前記傾斜装飾面の縁に連続する円弧状面に形成されており、前記箸本体を、前記樹脂カバー部を下向きにして設置面に載置したときに、該樹脂カバー部は、その箸下端側が該設置面に接触するが、該箸下端側よりも上側の部分は該設置面から浮き上がるようになされていることを特徴とする装飾箸。
【発明の詳細な説明】
【技術分野】
【０００１】
本発明は、凸レンズ効果によって装飾性が向上された装飾箸に関するものである。
【背景技術】
【０００２】
箸本体の上部分の外面を斜めにカットすることによって傾斜装飾面を形成し、該傾斜装飾面に図柄を付してなる装飾箸の一例として、特開２００４−３３７６２０号公報が開示するものが提案されている。該装飾箸ａは、例えば図１５に示すように、箸本体ｂの上部分ｃの外面ｄに図柄を付する際、該上部分の外面ｄを斜めにカットして傾斜装飾面ｅを形成し、この傾斜装飾面ｅに図柄を付してなるものである。このように傾斜装飾面ｅに図柄を付することとすれば、図柄の表示面積をより大きく確保できるため、それだけ装飾効果を向上させることができた。
【０００３】
しかしながら、このようにして形成された傾斜装飾面ｅは平面的なものであったため、そこに付された図柄は平面的に看取されるだけで装飾効果に乏しく、図１６に示すように装飾箸ａを真横から見たときは該図柄は全く見えない状態となる等、装飾効果に限界があった。又、前記傾斜装飾面ｅは箸本体ｂの上部分ｃの外面ｄを斜めにカットして形成されていたため、該傾斜装飾面ｅの縁ｆはシャープであり、そのため、箸を洗浄する際や箸を取り扱う際等において手を傷付ける恐れがあった。
【０００４】
【特許文献１】特開２００４−３３７６２０号公報  （第１−２頁、第１図）
【発明の開示】
【発明が解決しようとする課題】
【０００５】
本発明は、前記従来の問題点に鑑みて開発されたものであり、箸本体の上部分を斜めにカットして形成した傾斜装飾面に付された図柄による装飾効果を向上させることができると共に、該図柄による装飾部分が損傷されにくく、然も、傾斜装飾面の縁によって手を傷付ける恐れがないなど安全性にも優れる装飾箸の提供を課題とするものである。
【課題を解決するための手段】
【０００６】
前記課題を解決するため本発明は以下の手段を採用する。
即ち本発明に係る装飾箸は、箸本体の上部分の外面が斜めにカットされることにより傾斜装飾面が設けられ該上部分が箸上端に向けて先細化するように形成されており、該傾斜装飾面に図柄が付されると共に、該傾斜装飾面を覆うように透明な樹脂液が、盛り上がった突状に付着され、該樹脂液の硬化によって凸レンズ状の樹脂カバー部が設けられている。又、該樹脂カバー部の縁部分の外面は、前記傾斜装飾面の縁に連続する円弧状面に形成されており、前記箸本体を、前記樹脂カバー部を下向きにして設置面に載置したときに、該樹脂カバー部は、その箸下端側が該設置面に接触するが、該箸下端側よりも上側の部分は該設置面から浮き上がるようになされていることを特徴とするものである。
【発明の効果】
【０００７】
本発明は以下の如き優れた効果を奏する。
(1) 本発明に係る装飾箸は、箸本体の上部分の外面を斜めにカットすることにより傾斜装飾面を形成し、該傾斜装飾面に図柄を付することとしているため、表示面積が拡大した該傾斜装飾面に極力大きな図柄を付すことができる。
【０００８】
(2) 図柄が付された傾斜装飾面を覆うように透明な樹脂液が、盛り上がった突状に付着され、該樹脂液の硬化によって凸レンズ状の樹脂カバー部が設けられているため、該樹脂カバー部の凸レンズ作用により、前記図柄を浮き出させることができる。
【０００９】
これにより、装飾箸を正面や斜めから見たときだけでなく側面から見たときも、傾斜装飾面に付されている図柄が光の屈折作用によって浮き出て見えることになる。樹脂カバー部が設けられていないと見えるはずのない図柄がこのように浮き出て見えることは、装飾箸の意匠効果の一層の向上に寄与するものである。このように凸レンズ状の樹脂カバー部を設けた結果、装飾効果により一層優れた装飾箸を提供できることになるのである。
【００１０】
(3) 又、本発明に係る装飾箸は、前記箸本体を、前記樹脂カバー部を下向きにして設置面に載置したとき、該樹脂カバー部は、その箸下端側が該設置面に接触するが、該箸下端側よりも上側の部分は該設置面から浮き上がるようになされている。
【００１１】
従って、樹脂カバー部が該設置面に擦られて損傷されるとしても、それは、凸レンズ部としての重要性の低い前記箸下端側だけであり、それよりも上側をなす、凸レンズ部としての重要性の高い部分は、該設置面で損傷されない。かかることから、樹脂カバー部による凸レンズ作用を長く効果的に発揮させることができ、図柄による装飾効果を長く維持させることができるのである。
【００１２】
(4) 更に、前記樹脂カバー部の縁部分は、前記傾斜装飾面の縁に連続する円弧状面に形成されていることから、前記傾斜装飾面のシャープな縁が現れず、箸を洗浄する際や箸を取り扱う際に手を傷つける恐れがなく、安全性に優れる。
【実施例１】
【００１３】
図１〜３において本発明に係る装飾箸１は、例えば木製や竹製、プラスチック製等の箸本体２の上部分３の外面５（図３（Ｂ））が斜めにカットされることにより傾斜装飾面６が設けられ、該上部分３が箸上端７に向けて側面視で幅が徐々に小さくなるように先細化する如く形成されており、図３（Ａ）に示すように、該傾斜装飾面６に所要の図柄９が付されている。そして図１〜２に示すように、該傾斜装飾面６を覆うように樹脂カバー部１０が設けられており、該樹脂カバー部１０の縁部分８の外面１１は、前記傾斜装飾面６の縁１２（図３（Ｃ））に連続する円弧状面１３に形成されている。
【００１４】
前記箸本体２は、本実施例においては図１〜２に示すように、横断面が正方形状を呈し、箸下端１５側が先細に形成されており、長さ方向で見た中央部分が把持部１６とされ、該把持部１６よりも箸下端１５側の先細に形成された部分が挾み部１７とされている。
【００１５】
そして、斜めカットにより形成された、表示面積が大きい該傾斜装飾面６に、例えば図３（Ａ）（Ｃ）に示すような蛙の図柄９ａが塗装やプリント、シール片の貼着等によって付されている。このように図柄９ａを付した後、該傾斜装飾面６を覆うように、例えばアクリル系樹脂やポリエステル系樹脂、ウレタン系樹脂、エポキシ系樹脂等の、箸の塗料として使用可能な透明な樹脂液が、盛り上がった突状に付着され、該樹脂液の硬化によって、図１〜２に示す凸レンズ状の樹脂カバー部１０が設けられている。
【００１６】
該樹脂カバー部１０の表面２０は、図２、図４（Ａ）に示すように、前記傾斜装飾面６の傾斜に略沿わせてあり、前記のように、該樹脂カバー部１０の縁部分８の外面１１は、斜装飾面６を図４（Ａ）に示すように縦断面で見たときも、図４（Ｂ）に示すように横断面で見たときも、前記傾斜装飾面６の縁１２に連続する円弧状面１３に形成されている。  
【００１７】
又、前記箸本体２（即ち装飾箸１）を図５〜６に示すように、前記樹脂カバー部１０を下向きにして設置面２１に載置したときに該樹脂カバー部１０は、その箸下端側２２が該設置面２１に接触するが、該下端側２２よりも上側の部分２３は該設置面２１から浮き上がるようになされている。
【００１８】
然して、かかる構成の装飾箸１によるときは透明な樹脂カバー部１０の凸レンズ作用により、該装飾箸１を正面や斜めから見たときは元より、該装飾箸１を側面から見たときも図２（Ｂ）に示すように、光の屈折作用によって前記図柄９が浮き出て見えることになる。
【００１９】
凸レンズ状の樹脂カバー部１０が設けられていないとすれば、図３（Ｂ）に示すように、側面視では前記図柄９が全く見えない。このように、凸レンズ作用を有する樹脂カバー部１０は、傾斜装飾面６に付された図柄９による装飾効果を向上させるのである。
【００２０】
又、前記樹脂カバー部１０は前記傾斜装飾面６の傾斜に略沿わせて設けられているため、例えば図５〜６に示すように、前記箸本体２（即ち装飾箸１）を、前記樹脂カバー部１０を下向きにしてテーブル面２１ａや箸箱底面２１ｂ等としての設置面２１に載置したとき、該樹脂カバー部１０の内、該テーブル面２１ａや該箸箱底面２１ｂに接触するのは、該樹脂カバー部１０の下端側２２だけであって、それよりも上側の部分２３は該テーブル面２１ａや箸箱底面２１ｂ等の設置面２１から浮き上がった状態になる。
【００２１】
従って、樹脂カバー部１０が該設置面２１に擦られて損傷されるとしても、それは、凸レンズ部としての重要性の低い前記下端側２２だけであり、凸レンズ部としての重要性の高い、該下端側２２よりも上側の部分２３は損傷されない。かかることから、樹脂カバー部１０による凸レンズ作用を長く効果的に発揮させることができ、図柄９による装飾効果を長く維持させることができる。
【００２２】
又前記のように、前記樹脂カバー部１０の縁部分８の外面１１は前記傾斜装飾面６の縁１２に連続する円弧状面１３に形成されているため、前記傾斜装飾面６のシャープな縁１２が現れないことになる。もしも樹脂カバー部１０が設けられていないとすれば、傾斜装飾面６のシャープな縁１２（図３（Ｃ））が、箸を洗浄する際や箸を取り扱う際に手を傷つける恐れがあるが、外面１１が円弧状面を呈する前記樹脂カバー部１０の縁部分８によってこのような危険を回避できることになる。
【実施例２】
【００２３】
図７〜８は、本発明に係る装飾箸１の他の実施例を示すものであり、図７に示す装飾箸１においては、前記傾斜装飾面６の長さが図２に示す場合よりも短く形成されており、図８に示す装飾箸１にあっては、前記傾斜装飾面６の長さが図２に示す場合よりも長く形成されている。
【００２４】
そして前記と同様にして、該傾斜装飾面６に図柄が付されると共に、該傾斜装飾面６を覆うように且つ該傾斜装飾面６の傾斜に略沿わせて透明な樹脂液が、盛り上がった突状に付着され、該樹脂液の硬化によって凸レンズ状の樹脂カバー部１０が設けられている。そして該樹脂カバー部１０の縁部分８の外面１１は、図７（Ａ）や図８（Ａ）に示すように、前記傾斜装飾面６の縁１２に連続する円弧状面１３に形成されている。
【００２５】
これらの装飾箸１にあっても、前記樹脂カバー部１０が下向きの状態で箸本体２が設置面２１に載置されたとき、前記と同様にして、該樹脂カバー部１０は、凸レンズ部としての重要性の低い前記下端側２２は損傷されるとしても、凸レンズ部としての重要性の高い、該下端側２２よりも上側の部分２３は損傷されない。かかることから、樹脂カバー部１０による凸レンズ作用を長く効果的に発揮させることができ、図柄９による装飾効果を長く維持させることができる。
【実施例３】
【００２６】
又図９は、本発明に係る装飾箸１のその他の実施例を示すものであり、図９（Ａ）に示すように、箸本体２の上部分３の外面の対向側の面が共に斜めにカットされることによって対向した傾斜装飾面６，６が設けられており、該上部分３が箸上端７に向けて先細化するように形成されている。
【００２７】
そして、該対向する傾斜装飾面６，６に、共に同一の図柄又は異なる図柄が付されると共に、図９（Ｂ）（Ｃ）に示すように、該対向する傾斜装飾面６，６を覆うように且つ該傾斜装飾面６，６の傾斜に略沿わせて透明な樹脂液が盛り上がった突状に付着され、該樹脂液の硬化によって凸レンズ状の樹脂カバー部１０，１０が設けられている。
【００２８】
又、該樹脂カバー部１０，１０の縁部分８，８の外面１１，１１は、前記傾斜装飾面６，６の縁１２，１２に連続する円弧状面１３，１３に形成されている。又前記箸本体２（即ち装飾箸１）を、図９（Ｃ）に示すように、前記樹脂カバー部１０を下向きにして設置面２１に載置したときに該樹脂カバー部１０は、その箸下端側２２が該設置面２１に接触するが、該箸下端側２２よりも上側の部分２３は該設置面２１から浮き上がるようになされている。かかる構成を有する装飾箸１の作用は前記と同様である。
【実施例４】
【００２９】
図１０（Ａ）は、本発明に係る装飾箸１のその他の実施例を示すものであり、箸本体２の上部分３の外面が周方向に連続して斜めにカットされることにより円錐状面としての傾斜装飾面６が設けられ、該上部分３が、箸上端７に向けて先細化するように形成されている。そして、該円錐状面としての傾斜装飾面６に所要の図柄が付されると共に、該傾斜装飾面６を覆うように且つ該傾斜装飾面６の傾斜に略沿わせて透明な樹脂液が、盛り上がった突状に付着され、該樹脂液の硬化によって凸レンズ状の樹脂カバー部１０が設けられている。
【００３０】
そして、該樹脂カバー部１０の縁部分８の外面１１は、前記傾斜装飾面６の縁１２に連続する円弧状面１３に形成されている。又前記箸本体２（即ち装飾箸１）を、図１０（Ｂ）に示すように、前記樹脂カバー部１０を下向きにして設置面２１に載置したときに該樹脂カバー部１０は、その箸下端側２２が該設置面２１に接触するが、該下端側２２よりも上側の部分２３は該設置面２１から浮き上がるようになされている。
【実施例５】
【００３１】
本発明に係る装飾箸１は、箸本体２が、前記実施例で示したように横断面が正方形状を呈するものとして構成される他、例えば図１１や図１２に示すように、横断面が正三角形状や円形状に形成されることもある。
【００３２】
又図１３（Ａ）（Ｂ）は、前記傾斜装飾面６に付される図柄９の他の態様を示すものである。本発明において傾斜装飾面６に付される図柄は、幾何学模様等であってもよい。又該図柄は、図３（Ｃ）や図１３（Ａ）（Ｂ）に示すような平面的なものの他、溝線の刻設によって付することもできる。例えば、着色された傾斜装飾面６に溝線を彫刻することによって図柄を付することができる。
【００３３】
又、前記樹脂カバー部１０の縁部分８の外面１１が前記傾斜装飾面６の縁１２に連続するとは、例えば図１４に示すように、該縁１２が該縁部分１１に若干埋設状態となることを含むものである。
【図面の簡単な説明】
【００３４】
【図１】本発明に係る装飾箸を示す斜視図である。
【図２】その側面図である。
【図３】その装飾箸を構成する箸本体を示す平面図、側面図、斜視図である。
【図４】傾斜装飾面が樹脂カバー部で覆われた状態を示す断面図である。
【図５】装飾箸を、樹脂カバー部を下向きにしてテーブル面に載置した状態を示す側面図である。
【図６】装飾箸を、樹脂カバー部を下向きにして箸箱底面に載置した状態を示す側面図である。
【図７】装飾箸の他の実施例を示す側面図である。
【図８】装飾箸のその他の実施例を示す側面図である。
【図９】装飾箸のその他の実施例を示す斜視図と側面図である。
【図１０】装飾箸のその他の実施例を示す斜視図と側面図である。
【図１１】装飾箸のその他の実施例を示す一部断面斜視図である。
【図１２】装飾箸のその他の実施例を示す一部断面斜視図である。
【図１３】傾斜装飾面に付される図柄の他の態様を示す平面図である。
【図１４】装飾箸のその他の実施例を示す断面図である。
【図１５】従来の装飾箸の問題点を示す斜視図である。
【図１６】従来の装飾箸の問題点を示す側面図である。
【符号の説明】
【００３５】
１  装飾箸
２  箸本体
３  箸本体の上部分
５  外面
６  傾斜装飾面
１０  樹脂カバー部
１１  樹脂カバー部の縁部分
１２  傾斜装飾面の縁
１３  円弧状面
１５  箸下端
２０  樹脂カバー部の表面
２１  設置面
２２  箸下端側
２３  上側の部分
【図１】
2008264069.tif 000003
【図２】
2008264069.tif 000004
【図３】
2008264069.tif 000005
【図４】
2008264069.tif 000006
【図５】
2008264069.tif 000007
【図６】
2008264069.tif 000008
【図７】
2008264069.tif 000009
【図８】
2008264069.tif 000010
【図９】
2008264069.tif 000011
【図１０】
2008264069.tif 000012
【図１１】
2008264069.tif 000013
【図１２】
2008264069.tif 000014
【図１３】
2008264069.tif 000015
【図１４】
2008264069.tif 000016
【図１５】
2008264069.tif 000017
【図１６】
2008264069.tif 000018